【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
炭化材料の燃焼を含む、使用ずみ触媒の再生法であって、所定の操作条件において、触媒を少なくとも１つの酸素含有ガスと接触させる少なくとも１つの燃焼工程を含む形式のものにおいて、すべての燃焼工程で処理された触媒を、制御工程において、燃焼工程よりも厳しい条件の少なくとも１つのいわゆる制御ガスと接触させ、上記ガスとともに導入された酸素の１０％未満の酸素消費量で制御工程を進行させることを特徴とする方法。
【請求項２】
触媒が、改質触媒または芳香族調製触媒であることを特徴とする、請求項１に記載の方法。
【請求項３】
制御工程では、温度が実質的に一定に保持されることを特徴とする、請求項１又は２項に記載の方法。
【請求項４】
制御ガスが、燃焼工程に導入された最大酸素量に少なくとも等しい量の酸素を含み、および／または、制御ガスの温度が、燃焼工程に導入されたガスの温度よりも高いことを特徴とする、請求項１〜３のうちの１項に記載の方法。
【請求項５】
制御工程に導入されたガスおよび／または触媒の温度と制御工程から出たガスおよび／または触媒の温度、および／または、制御工程に導入されたガスの酸素含量と制御工程から出たガスの酸素含量を測定、比較し、許容できる変化よりも大きい差がある場合は、少なくとも１つの燃焼工程の少なくとも１つの操作条件を変更して上記差を修正することを特徴とする、請求項１〜４のうちの１項に記載の方法。
【請求項６】
触媒上を通過後、燃焼工程から生じた他のガスとは無関係に、または少なくとも１つの燃焼工程から生じた少なくとも１つのガスと混合して制御ガスをプロセスから排出することを特徴とする、請求項１〜５のうちの１項に記載の方法。
【請求項７】
触媒が、移動床の形態であることを特徴とする、請求項１〜６のうちの１項に記載の方法。
【請求項８】
少なくとも１つの酸素含有ガスが導入される少なくとも１つの燃焼ゾーンにおいて進行する少なくとも１つの燃焼工程で触媒を処理し、触媒を通過させるがガスの通過を阻止するような燃焼ゾーンまたは最終燃焼ゾーンから分離した制御ゾーンにおいて燃焼終了制御工程で触媒を処理し、制御ガスを制御ゾーンに導入し、上記制御ゾーンから引出し、引出した上記ガスについて温度および／または酸素含量の測定を実施することを特徴とする、請求項１〜７のうちの１項に記載の方法。
【請求項９】
少なくとも１つの酸素含有ガスが導入された少なくとも１つの燃焼ゾーンにおいて進行する少なくとも１つの燃焼工程で触媒を処理し、最終燃焼ゾーンの下部にある制御ゾーンにおいて燃焼終了制御工程で触媒を処理し、制御ゾーンのレベルに制御ガスを導入し、上記ゾーンのレベルから出るガスについて温度および／または酸素含量の測定を実施することを特徴とする、請求項１〜８のうちの１項に記載の方法。
【請求項１０】
触媒が、固定床の形態であることを特徴とする、請求項１〜５のうちの１項に記載の方法。
【請求項１１】
燃焼ゾーンの少なくとも２つの壁の間を下降する移動床として触媒を流し、１つの壁を介して移動床内に入り他の壁を介して移動床から出る高温の酸素含有ガスが触媒を通過するようにさせ、最高点がガスが流入する壁のレベルおよび燃焼ゾーンの触媒入口のレベルにあり且つ最低点がガスが流出する壁のレベルにある傾斜した形状の火炎のフロントが燃焼ゾーン内に生ずる形式のものにおいて、燃焼が行われる少なくとも１つのゾーンのレベルにおいて炭化材料の燃焼を下記の如く制御し、即ち、全燃焼が行われるゾーンの少なくとも１つのパラメータＸＹおよび燃焼が行われないゾーンの少なくとも１つのパラメータＸＮを測定し、火炎フロントの近傍のまたは火炎フロント上の少なくとも１つの基準点に割付け、正常な機能条件においてＸＹおよびＸＮを含むパラメータ関数を形成し、正常な機能条件における上記点の位置が、基準指示値を構成し、基準指示値の両側にある測定点から、パラメータ関数から計算した仮想点の位置を計算し、次いで、上記位置を基準指示値と比較し、差がある場合には、少なくとも１つの操作条件を変更して上記差を減少または排除することを特徴とする、請求項１〜９のうちの１項に記載の方法。
【請求項１２】
火炎フロントの最低点が、燃焼ゾーンの上部から、燃焼ゾーンの全高さの９８％以下の距離だけ離れて位置することを特徴とする、請求項１１に記載の方法。
【請求項１３】
正常な機能条件では、燃焼フロントの最低点が、基準指示値を構成することを特徴とする、請求項１１又は１２項に記載の方法。
【請求項１４】
移動床が、リング形状を有することを特徴とする、請求項１１に記載の方法。
【請求項１５】
燃焼ゾーンに入る酸素量を変更することによって燃焼を制御することを特徴とする、請求項１１〜１４のうちの１項に記載の方法。
【請求項１６】
触媒の流量を変更することによって燃焼を制御することを特徴とする、請求項１１〜１５のうちの１項に記載の方法。
【請求項１７】
触媒が、複数の燃焼ゾーンを通過し、燃焼が起きる最終ゾーンにおいて方法を実施することを特徴とする、請求項１１〜１６のうちの１項に記載の方法。
【請求項１８】
使用ずみ触媒を再生するための容器（ｅｎｃｅｉｎｔｅ）であって、移動床として触媒が壁相互間を流動する少なくとも２つの壁（５ａ，５ｂ）を備え且つ壁の１つを介して移動床に入る少なくとも１つの酸素含有ガスを導入し他の壁を介して排出するための少なくとも１つの導管（４）を備えた少なくとも１つの燃焼ゾーンを含む形式のものにおいて、該容器が、更に、酸素含有制御ガスを導入する導管（１１）と制御ゾーンから出るガスおよび／または触媒の温度および／または酸素含量の少なくとも１つの測定手段とを備えた最終燃焼ゾーン（Ｚ２）の火炎の終端またはフロントの後ろに位置する燃焼終了制御ゾーン（ＦＣ）を含むことを特徴とする再生容器。
【請求項１９】
制御ゾーンが、最終燃焼ゾーンの下部に位置することを特徴とする、請求項１８に記載の容器。
【請求項２０】
触媒が、２つの円筒形壁の間に形成された環状スペース内を流通し、１つまたは複数の測定手段が、ガスを排出する制御ゾーンの壁のレベルに配設されていることを特徴とする、請求項１８又は１９項に記載の容器。
【請求項２１】
該容器が、ガスの通過を阻止し且つ触媒を通過させるよう制御ゾーンと最終燃焼ゾーンとの間に配設された少なくとも１つの分離手段（２９）を含み、更に、制御ゾーンから出るガスの排出導管（２８）を含み、１つまたは複数の測定手段が、上記排出導管（２８）に配設されていることを特徴とする、請求項１８に記載の容器。
【請求項２２】
該容器が、ガスの通過を阻止し且つ触媒を通過させるよう制御ゾーンと最終燃焼ゾーンとの間に配設された少なくとも１つの分離手段（２９）を含み、更に、制御ゾーンから出るガスの排出導管（２８）を含み、１つまたは複数の測定手段が、制御ゾーンのガス排出壁のレベルに配設されていることを特徴とする、請求項１８又は１９項に記載の容器。
【請求項２３】
該容器が、更に、少なくとも１つの燃焼ゾーンのレベルに、下記；即ち、−燃焼が行われるゾーンの部分の少なくとも１つの温度測定手段ＴＹと、−燃焼が行われないゾーンの部分の少なくとも１つの温度測定手段ＴＮと、−測定手段ＴＹとＴＮとの間の点Ｐｊおよび正常な機能条件において得られる火炎フロントの基準点の位置およびいわゆる基準指示値に対応する燃焼ゾーンのレベルＰ０の両側にある床の温度Ｔｊの少なくとも２つの測定手段と、−点Ｐｊに得られた温度Ｔｊ，ＴＹ，ＴＮの測定値から、火炎フロントの位置に対応する仮想点の位置を計算し、上記位置を基準指示値と比較する手段と、−先行の計算手段および少なくとも１つの操作手段を変更する手段に接続され燃焼ゾーンの操作条件を調節する手段と、  を含む装置を含むことを特徴とする、請求項１８〜２２のうちの１項に記載の容器。
【請求項２４】
ＴＮの測定手段が、燃焼ゾーンの下から１／３に設けられていることを特徴とする、請求項２３に記載の容器。
【請求項２５】
ＴＹの測定手段が、燃焼ゾーンの上から２／３に設けられていることを特徴とする、請求項２３又は２４項に記載の容器。
【請求項２６】
複数の温度測定手段が、同一測定レベルに配設されており、かくして、断面の平均温度を与えることを特徴とする、請求項２３〜２５のうちの１項に記載の容器。
【請求項２７】
２つの壁が、円筒形で同軸であり、環状触媒床を形成し、ガスは、外壁を介して導入され、内壁によって形成された捕集器内に捕集され、温度測定手段が、上記捕集器に配設されていることを特徴とする、請求項２３〜２５のうちの１項に記載の容器。
【請求項２８】
２つの壁が、円筒形で同軸であり、環状触媒床を形成し、ガスは、内壁によって形成された容積から燃焼ゾーンに導入され、内壁を介して流動して床を通過し、外壁を介して排出され、温度測定手段が、外壁のレベルに配設してあることを特徴とする、請求項２３〜２７のうちの１項に記載の容器。
【請求項２９】
温度測定手段が、触媒床内に分布されていることを特徴とする、請求項２３〜２８のうちの１項に記載の容器。
【請求項３０】
仮想点の位置をＰＩＤタイプのアルゴリズム、内部モデルによる制御装置、予想制御装置または非線形制御装置によって制御することを特徴とする、請求項２３〜２９のうちの１項に記載の容器。
【請求項３１】
該容器が、下記；即ち、−ガス排出壁のレベルの、燃焼ゾーン部分の少なくとも１つの温度測定手段ＴＹと、−ガス排出壁のレベルの、燃焼が行われないゾーンの部分の少なくとも１つの温度測定手段ＴＮと、−ガス排出壁のレベルの測定手段ＴＹ，ＴＮの間の点Ｐｊおよび正常な機能条件において得られる火炎フロントの最低点およびいわゆる基準指示値に対応する燃焼ゾーンのレベルＰ０の両側にある床の少なくとも２つの温度測定手段Ｔｊと、−点Ｐｊにおいて得られた温度測定値Ｔｊ，ＴＹ，ＴＮから火炎フロントの点に対応する仮想点の位置を計算し、上記位置を基準指示値と比較する手段と、−先行の計算手段および少なくとも１つの操作条件を変更する手段に接続され燃焼ゾーンの操作条件を調節する手段と、  を含むことを特徴とする、請求項２３〜３０のうちの１項に記載の容器。